(57)【特許請求の範囲】
【請求項１】
口部にねじを螺設した容器と、口部に嵌合され、計量部と連通部とを具えた中栓と、ねじキャップとを備えた計量注出容器であって、
計量部は、上端に注出口唇部を形成した外周筒と底壁および内周筒とからなり、
連通部は、内周筒の上端に連続する上壁の内周から垂設され、上部を係止筒部とし、下部に連通孔を穿設した連通筒と、ばねによって上方に付勢された連通開閉部材が上下動自在に嵌挿された支持筒とからなり、
ねじキャップは、頂壁下面に前記連通開閉部材の上面に係合する操作杆と中栓の注出口唇部を密封する密封リングを具えていることを特徴とする定量液注出容器。
【請求項２】
口部にねじを螺設した容器と、口部に嵌合され、上端に注出口唇部を設けた注出筒を具えた中栓と、中栓に上下動可能に支持された計量室と、ねじキャップとを備えた定量液注出容器であって、
中栓の注出筒は、下端に連通孔を形成するとともに計量室を支持する複数の案内片を設けた底壁を具えており、
計量室は、上端に連通孔を形成する複数の摺動片を設け、所定位置に中栓の底壁に接合し連通孔を開閉するフランジを設けており、
中栓の底壁と摺動片との間には計量室を上方に付勢するばねが弾装されており、
ねじキャップは、計量室をばねに抗して下方に位置させる操作筒を具えていることを特徴とする定量液注出容器。
【発明の詳細な説明】
【０００１】
【発明の属する技術分野】
本発明は、定量液注出容器、特に容器内と計量室との連通路を開路・遮断自在とした定量液注出容器に関する。
【０００２】
【発明が解決しようとする課題】
注出口に連通する計量室を容器内部に配設して、計量室と容器内部との連通路を開路、遮断する操作部を設け、開放時に計量室に一定量の内容液を貯留し、液注出路には、連通路を遮断して容器を傾け、貯留した一定量の内容液を注出するようにした計量注出容器は従来より知られている。
しかし、連通路を開路・遮断する操作部として、種々の構成のものが提案されているが、ねじキャップに操作部を設け、ねじキャップの上下動に応じて連通路を開路・遮断するようにした液注出容器はなかった。
【０００３】
本発明は、ねじキャップに操作部を設けることによって、キャップの開閉に応じて計量室と容器内部との連通路を開路・遮断して操作を簡略にするとともに、操作部の上下移動量を大きくして、連通路の開路・遮断を確実にすること、さらには、内容物のシール性を高めるようにした定量液注出容器を提供することを目的とする。
【０００４】
【課題を解決するための手段】
本発明は、上記の課題を解決するため、定量液注出容器の基本的な構成として、外周にねじを螺設した口部と、口部に螺着したねじキャップと、口部内部に計量室とを具えた定量液注出容器であって、口部内の計量室と容器内部との連通路を開閉する操作部材をねじキャップの頂壁下面に垂設したことを特徴とする構成を採用する。
【０００５】
実施形態として、口部にねじを螺設した容器と、口部に嵌合され、計量部と連通部とを具えた中栓と、ねじキャップとを備えた計量注出容器であって、計量部は、上端に注出口唇部を形成した外周筒と底壁および内周筒とからなり、連通部は、内周筒の上端に連続する上壁の内周から垂設され、上部を係止筒部とし、下部に連通孔を穿設した連通筒と、ばねによって上方に付勢された連通開閉部材が上下動自在に嵌挿された支持筒とからなり、ねじキャップは、頂壁下面に前記連通開閉部材の上面に係合する操作杆と中栓の注出口唇部を密封する密封リングを具えていることを特徴とする構成を採用する。
【０００６】
他の実施形態として、口部にねじを螺設した容器と、口部に嵌合され、上端に注出口唇部を設けた注出筒を具えた中栓と、中栓に上下動可能に支持された計量室と、ねじキャップとを備えた定量液注出容器であって、中栓の注出筒は、下端に連通孔を形成するとともに計量室を支持する複数の案内片を設けた底壁を具えており、計量室は、上端に連通孔を形成する複数の摺動片を設け、所定位置に中栓の底壁に接合し連通孔を開閉するフランジを設けており、中栓の底壁と摺動片との間には計量室を上方に付勢するばねが弾装されており、ねじキャップは、計量室をばねに抗して下方に位置させる操作筒を具えていることを特徴とする構成を採用する。
【０００７】
【発明の実施の形態】
次に、本発明の第１実施形態について、図面を参照して説明する。
図１において、Ａは容器、Ｂは中栓、Ｃは中栓Ｂの連通部に嵌挿された連通開閉部材、Ｄはキャップであり、容器Ａはガラスまたは合成樹脂、中栓Ｂその他はいずれも合成樹脂によって成形されている。
【０００８】
容器Ａは、口部１と上胴部２および該上胴部２より拡径された下胴部３とからなる胴部と、底部４とからなっている。
口部１には、上端に係合突条５が突設され、その下方にねじ６が螺設されている。
上胴部２は、キャップＤの外形とほぼ等しい外径を有しており、拡径された下胴部３に続いている。
【０００９】
図２に示すように、中栓Ｂは、計量室Ｂ１と嵌合部Ｂ２、連通部Ｂ３とからなっている。
計量室Ｂ１は、外周筒１０と底壁１１と内周筒１２とからなり、外周筒１０の上端には、外方に拡径された注出口唇部１３が形成されている。
外周筒１０の上方所定位置には、外方に突出する上壁１４と上壁外周縁から垂設され、下端に係合突条１５を突設した係合筒１６とからなる嵌合部Ｂ２が形成されている。
内周筒１２の上端には、内方に延びる上壁１７が連設され、その内周縁から上部を係止筒部１８として、その下方に複数の連通孔１９を刻設した連通筒２０が垂設されている。
【００１０】
連通筒２０の下端部内側には、有底の支持筒２１が連設され、支持筒２１下端の底壁２２には、開口２３が穿孔されている。
前記連通筒２０と支持筒２１によって中栓Ｂの連通部Ｂ３が形成され、連通部Ｂ３には、連通開閉部材Ｃが嵌挿されている。
【００１１】
連通開閉部材Ｃは、外周が前記連通筒２０に嵌合する皿体２４と、該皿体２４の中央部に垂設され、開口２３に嵌挿される軸筒２５とを具えており、軸筒２５の下端には、底壁２２下面に接合し、開口２３を密封する閉塞環２６が突設されている。
皿体２４と支持筒２１の底壁２２との間には、皿体２４を上方に付勢するばね２７が弾装されている。
【００１２】
キャップＤは、頂壁３０と側周壁３１とを備えており、頂壁３０から段差部３２をおいて内周壁３３が垂設され、その下端には、上壁３４が形成され、側周壁３１に続いている。
頂壁３０の下面中央には、操作杆３５が垂設されており、段差部３２内周には、中栓Ｂの注出口唇部１３に係合し、容器内部を密閉する密封リング３６が垂設されている。
側周壁３１の内周には、容器口部１のねじ６に螺合するねじ３７が螺設されている。
【００１３】
次に、本実施形態容器の使用態様と作用効果について説明する。
容器には、内容液として、薬液、化粧料、洗剤などが収容される。
キャップを閉じた場合には、操作杆３５がばね２７に抗して皿体２４を押下げ、連通孔１９の上部を開いて、キャップＤと容器Ａ内部との連通路を形成する。
その状態で容器Ａを倒立させると、図３に示すように、内容液は、キャップＤ内に流入し、計量室Ｂ１内の空気は室内に残留する。
次いで、容器を正立させると、計量室Ｂ１の空気と内容液が入れ代わり、計量室Ｂ１に内容液が一定量貯留される。
【００１４】
キャップＤを開くと、図４に示すように、操作杆３５による押圧が解かれ、ばね２７の付勢によって、皿体２４が連通孔１９の上方まで上昇し、皿体２４の外周縁が係止筒部１８に係合して、連通筒２０上部を封鎖し、容器Ａ内部を外部から遮断する。
注出にあたって、キャップＤを閉じた状態で容器Ａを倒立し、次いで正立させて、キャップＤを開いて、容器Ａを傾けると、計量室Ｂ１内の内容液のみを注出することができる。
【００１５】
次に、第２実施形態の液注出容器について説明する。
本実施形態は、中栓と計量室とを別にしたものである。
図５において、Ａａは容器、Ｂａは中栓、Ｅは中栓Ｂａに装着された計量室、Ｄａはキャップである。
容器Ａａは、前記第１実施形態の容器と同様に、口部１ａと上胴部２ａおよび該上胴部２ａより拡径された下胴部３ａとからなる胴部と、底部４ａとからなっており、口部１ａには、嵌合突条５ａとねじ６ａが設けられている。
【００１６】
図５、６に示すように、中栓Ｂａは、容器口部１ａの内周に嵌合され、上端に注出口唇部４０を形成した注出筒４１を具え、上端に近い所定位置には外方に突出する上壁４２が突設されている。
該上壁４２の外周縁から嵌合筒４３が垂設され、その下端には、内方に突出する係合突条４４が設けられている。
注出筒４１の下端には、内方に突出する底壁４５が連設され、その内周縁には複数のＬ字状の案内片４６が設けられており、各案内片４６の間は、連通孔４７となっている。
【００１７】
計量室Ｅは、有底の下筒５０と該下筒５０に嵌着された上筒５１とを具えており、下筒５０の上下中央部には、フランジ５２が突設されている。
上筒５１は、下筒５０上部外周に嵌合され、その下端は、フランジ５２に接合し、上筒５１の中間に内方に突出する突条５３が設けられ、下筒５０の上端に接合している。
【００１８】
上筒５１の上端には、外周を係合部５４とし、上辺を連結部５５とした摺動片５６が等間隔に複数突設されており、各摺動片５６の間は、上部の連通孔５７となっている。
摺動片５６と、注出筒４１の案内片４６との間には、計量室Ｅを上方に付勢するばね５８が弾装されている。
【００１９】
キャップＤａは、頂壁６０と側周壁６１とを備えており、頂壁６０から段差部６２をおいて内周壁６３が垂設され、その下端には、上壁６４が形成され、側周壁６１に続いている。
段差部６２の内周には、中栓Ｂａの注出口唇部４０の内周に嵌合するとともに、摺動片５６の上面に係合する操作筒６５が垂設されている。
側周壁６１の内周には、容器口部１ａのねじ６ａに螺合するねじ６６が螺設されている。
【００２０】
次に、本実施形態容器の使用態様と作用効果について説明する。
内容液の入った容器のキャップＤａを閉じると、操作筒６５の下端がばね５８に抗して摺動片５６を押圧し、計量室Ｅを押し下げる。
押し下げに応じて、フランジ５２と注出筒４１の底壁４５との接合が解かれ、連通孔４７が開かれ、上部の連通孔５７とともに、容器Ａａ胴部内と計量室Ｅとの間の連通状態が形成される。
キャップＤａを開くと、操作筒６５も上昇するので、ばね５８によって計量室Ｅが上昇し、フランジ５２が底壁４５に接合して連通孔４７を閉じ、連通路が閉ざされる。
【００２１】
使用にあたって、キャップＤａを閉じた状態で、容器Ａａを倒立させると、図７に示すように、内容液がキャップＤａ内部に入り、計量室Ｅ内の空気はそのまま残留する。
次に、正立状態にすると、計量室Ｅの空気と入れ代わってキャップＤａ内の内容液が計量室Ｅに入る。
【００２２】
次いで、キャップＤａを開いて容器Ａａを傾けると、計量室Ｅの上昇とともに連通孔４７が閉ざされ、計量室Ｅの液を注出することにより、一定量の内容液を注出することができる。
【００２３】
【発明の効果】
本発明は、上記のように構成されているから、次の効果を奏する。
キャップの頂壁に操作部材を垂設し、計量室と容器内部の連通路を、ねじキャップの閉蓋時に開放し、開蓋時に遮断するようにしているから、閉蓋状態で、容器を倒立させ、次いで正立させるだけで、計量室に一定量の内容液を貯留し、ねじキャップを開蓋したときに、容器を傾け、計量室の内容液を注出することができる。
【図面の簡単な説明】
【図１】本発明第１実施形態容器の一部断面正面図である。
【図２】中栓とキャップの拡大説明図である。
【図３】キャップ閉蓋時の容器倒立状態を示す説明図である。
【図４】キャップを開蓋し、容器の正立時の説明図である。
【図５】  第２実施形態容器の一部断面正面図である。
【図６】  キャップ閉蓋時の要部拡大説明図である。
【図７】  キャップ閉蓋時の容器倒立状態を示す説明図である。
【図８】  キャップを開蓋し、容器の正立時の説明図である。
【符号の説明】
Ａ、Ａａ    容器
Ｂ、Ｂａ    中栓
Ｂ１        計量室
Ｂ２        嵌合部
Ｂ３        連通部
Ｃ          連通開閉部材
Ｄ、Ｄａ    キャップ
Ｅ          計量室
１、１ａ    口部
１０        外周筒
１１        底壁
１２        内周筒
１３        注出口唇部
１７        上壁
１８        係止筒部
１９        連通孔
２０        連通筒
２１        支持筒
２２        底壁
２３        開口
２４        皿体
２５        軸筒
２６        閉塞環
２７        ばね
３０、６０  頂壁
３１、６１  側周壁
３２、６２  段差部
３５        操作杆
３６        密封リング
４０        注出口唇部
４１        注出筒
４３        嵌合筒
４６        案内片
４７        連通孔
５０        下筒
５１        上筒
５２        フランジ
５３        突条
５４        係合部
５５        連結部
５６        摺動片
５７        連通孔
５８        ばね
６５        操作筒
【図１】
0004536279.tif 000002
【図２】
0004536279.tif 000003
【図３】
0004536279.tif 000004
【図４】
0004536279.tif 000005
【図５】
0004536279.tif 000006
【図６】
0004536279.tif 000007
【図７】
0004536279.tif 000008
【図８】
0004536279.tif 000009